(57)【要約】【課題】ガラス材料を替えることが出来、且つ、プラズマディスプレイパネルのカラー対比を向上できる偏光板を有するプラズマディスプレイパネル直貼付型構造を提供すること。【解決手段】本考案は、内部に複数のプラズマ表示セルを有する基板を含むプラズマディスプレイパネルを備えた偏光板を有するプラズマディスプレイパネル直貼付型構造において、複数の層を有し前記プラズマディスプレイパネル上に位置されるカラーフィルタユニットを含み、前記カラーフィルタユニットが、偏光板層、位相差板層、電磁波遮蔽層、混合色補正層及び近赤外線吸収や透過層の何れか一つの構造層の多層構造を含み、前記多層構造が、所定の順序で配列し組合されていることを特徴とする。【選択図】図１
0003121240.tif 000002
【実用新案登録請求の範囲】
【請求項１】
内部に複数のプラズマ表示セルを有する基板を含むプラズマディスプレイパネルを備えた偏光板を有するプラズマディスプレイパネル直貼付型構造において、
複数の層を有し前記プラズマディスプレイパネル上に位置されるカラーフィルタユニットを含み、前記カラーフィルタユニットが、偏光板層、位相差板層及び電磁波遮蔽層の多層構造を含み、前記多層構造が、所定の順序で配列し組合されていることを特徴とする偏光板を有するプラズマディスプレイパネル直貼付型構造。
【請求項２】
前記偏光板層は偏光板を含み、前記偏光板には、反射抵抗層、眩光抵抗層、静電抵抗層及び汚染防止層の何れか一つ及び多層の組合からなるとともに、これらの各層は単層構造と前記偏光板の上方及び下方の両方に設置される二層構造のうち何れか一つの構造で前記偏光板に貼り付けられ、さらに、前記位相差板層は、１／２波長及び１／４波長の何れか一つの構造であることを特徴とする請求項１記載の偏光板を有するプラズマディスプレイパネル直貼付型構造。
【請求項３】
内部に複数のプラズマ表示セルを有する基板を含むプラズマディスプレイパネルを備えた偏光板を有するプラズマディスプレイパネル直貼付型構造において、
複数の層を有し前記プラズマディスプレイパネル上に位置されるカラーフィルタユニットを含み、前記カラーフィルタユニットが、偏光板層、位相差板層、電磁波遮蔽層、混合色補正層或いは近赤外線吸収や透過式の構造層の何れか一つの多層構造を含み、前記多層構造が、所定の順序で配列し組合されていることを特徴とする偏光板を有するプラズマディスプレイパネル直貼付型構造。
【請求項４】
前記偏光板層は偏光板を含み、前記偏光板には、反射抵抗層、眩光抵抗層、静電抵抗層及び汚染防止層の何れか一つ及び多層の組合からなるとともに、これらの各層は単層構造と前記偏光板の上方及び下方の両方に設置される二層構造のうち何れか一つの構造で前記偏光板上に貼り付けられ、さらに、前記位相差板層は、１／２波長及び１／４波長の何れか一つの構造であることを特徴とする請求項３記載の偏光板を有するプラズマディスプレイパネル直貼付型構造。
【考案の詳細な説明】
【技術分野】
【０００１】
本考案は、偏光板を有するプラズマディスプレイパネル直貼付型構造に係わり、特にガラス材料層に替えて偏光板を用い、透過率及びカラー対比を改善させるプラズマディスプレイパネル構造に関わる。
【背景技術】
【０００２】
近年では、市場において徐々に増加する要求から、例えば、液晶ディスプレイ（ＬＣＤ）及びプラズマディスプレイのような軽量薄型で省電力な平面表示装置が大幅に成長した。このうち特に液晶ディスプレイは製造サイズに制約があるため、大きいサイズの平面表示装置の応用には、プラズマディスプレイが既に重要な地位を占めており、特に、プラズマディスプレイパネル（ＰＤＰ）の開発研究にも飛躍的な進歩がある。
【０００３】
周知のように、プラズマディスプレイパネル（ＰＤＰ）は高輝度及び高色彩を得られるが、その発生されたカラー対比が鮮やかでなく、その表示性能に悪影響を及ぼし、特に、従来の技術がガラス材料のパネル設計を採用しているために、常に生産コストが増え且つＰＤＰ全体の重量や外観及び透過率の不適感を生じ、より軽薄の平面表示装置への発展を阻害することになり、また、ガラス材料が応用されるＰＤＰ製造プロセス及び多層膜貼合技術が複雑であるため、歩留まりを制御し難いという問題点がある。
【０００４】
台湾実用新案第００９２２０８９３８号「偏光板を有するプラズマディスプレイパネル構造」には、ＬＣＤ中の偏光板をＰＤＰに用いることで、カラー対比を向上させる技術が開示されているが、該従来技術が、依然従来のガラス材料を応用するパネル設計を採用しており、透過率の面では十分とは言えない。
【０００５】
そのため、より軽量薄型で、透過率及びカラー対比が好ましく、且つ製造プロセスがより簡単なプラズマディスプレイパネルの要求があり、よって、その性能を改善し及び生産コストを低下させる必要がある。
【考案の開示】
【考案が解決しようとする課題】
【０００６】
本考案の目的は、ガラス材料層に替えて偏光板を用い、パネルの透過率及びカラー対比を共に改善され、且つコストが低下され製造プロセスが簡易化ができる偏光板を有するプラズマディスプレイパネル直貼付型構造を提供することである。
【課題を解決するための手段】
【０００７】
前記目的を達成するために、本考案に係る一態様は、内部に複数のプラズマ表示セルを有する基板を含むプラズマディスプレイパネルを備えた偏光板を有するプラズマディスプレイパネル直貼付型構造において、複数の層を有し前記プラズマディスプレイパネル上に位置されるカラーフィルタユニットを含み、前記カラーフィルタユニットが、偏光板層、位相差板層及び電磁波遮蔽層の多層構造を含み、前記多層構造が、所定の順序で配列し組合されていることを特徴とする偏光板を有するプラズマディスプレイパネル直貼付型構造を提供するものである。
【０００８】
さらに、本考案に係るもう一つの態様は、内部に複数のプラズマ表示セルを有する基板を含むプラズマディスプレイパネルを備えた偏光板を有するプラズマディスプレイパネル直貼付型構造において、複数の層を有し前記プラズマディスプレイパネル上に位置されるカラーフィルタユニットを含み、前記カラーフィルタユニットが、偏光板層、位相差板層、電磁波遮蔽層、混合色補正層及び近赤外線吸収或いは透過層の何れか一つの構造層の多層構造を含み、前記多層構造が、所定の順序で配列し組合されていることを特徴とする偏光板を有するプラズマディスプレイパネル直貼付型構造を提供するものである。
【０００９】
さらに、前記態様の偏光板を有するプラズマディスプレイパネル直貼付型構造によれば、前記偏光板層は偏光板を含み、前記偏光板上には、反射抵抗層、眩光抵抗層、静電抵抗層及び汚染防止層の何れか一つ及び多層の組合があり、これらの層は、単層構造と前記偏光板の上方及び下方の両方に設置される二層構造のうち何れか一つの構造で前記偏光板上に貼り付けられている。
【００１０】
さらにまた、前記態様の偏光板を有するプラズマディスプレイパネル直貼付型構造によれば、前記これらの層は、前記偏光板上に塗布される。
【００１１】
さらにまた、前記態様の偏光板を有するプラズマディスプレイパネル直貼付型構造によれば、前記位相差板層は、１／２波長板及び１／４波長板の何れか一つの構造であり、且つ、前記何れか一つの位相差板は、単層構造と前記偏光板の上方及び下方の両方に設置される二層構造のうち何れか一つの構造で良く、前記偏光板上に貼り付けられる。
【００１２】
さらにまた、前記態様の偏光板を有するプラズマディスプレイパネル直貼付型構造によれば、前記混合色補正層及び近赤外線吸収或いは透過層の何れか一つの構造層は、前記プラズマディスプレイパネル上に貼り付けて配置される。
【００１３】
また、前記態様の偏光板を有するプラズマディスプレイパネル直貼付型構造によれば、前記混合色補正層と近赤外線吸収及び透過式の何れか一つの構造層は、前記プラズマディスプレイパネル上に塗布される。
【考案を実施するための最良の形態】
【００１４】
添付図を参照しながら、本考案に係わる好ましい実施例を説明する。
図１は本考案に係わる好ましい実施例を示す構造図であり、図１に示されるように、本考案に示す偏光板を有するプラズマディスプレイパネル（ＰＤＰ）直貼付型構造は、複数のプラズマ表示セルを有する基板（図示省略）を含む平面ディスプレイパネルユニット（即ち、プラズマディスプレイパネルユニット）１と、平面ディスプレイパネルユニット１上に位置されるカラーフィルタユニット２とを含み、前記カラーフィルタユニット２が、複数の層を有し、偏光板層３、位相差板層４、電磁波遮蔽層５、混合色補正層及び近赤外線吸収或いは透過層６を含み、この前記カラーフィルタユニット２の該各層の配置順序は、前述の順序の配列組合であってもその他如何なる配列組合であってもよい。なお、ここで使用される平面ディスプレイパネルユニット１としては公知の構造を備えるプラズマディスプレイパネルユニットを使用するものとし、その説明は省略する。
【００１５】
該偏光板層３の構造としては、反射抵抗、眩光抵抗、汚染防止、静電抵抗、輝度増加及び光学透明度の各付加光学機能を含む。該付加光学機能は、偏光板層３上に単独的に添付しても良く或いは貼付層構造としても良く、この構造は単独で或いは混合的に用いることができる。また、前記構造層は単層或いは上下二層の何れでもよい。
【００１６】
該位相差板層は、１／２λ及び１／４λの構造で良い、その構造層は、単層或いは上下二層を応用できる。
【００１７】
該電磁波遮蔽層５は、電磁波放射を遮蔽しカラーの歪みを防止するものであり、銅綱状型（Ｃｕ−ｍｅｓｈ）が好ましい。
【００１８】
該混合色補正層及び近赤外線吸収或いは透過層６は、基板上に単独的に塗布され、或いは貼付層を用いて基板上に配置でき、この配置は単独で或いは混合的に用いることができる。また、その機能性は単一機能或いは複合型多機能である。
【００１９】
続いて、図２（ａ）〜図２（ｃ）を参照すると、図２（ａ）は偏光板を有する直貼付型カラーフィルタと偏光板無しカラーフィルタの分光量の測定結果を、図２（ｂ）はＵＶ（紫外線）量の測定結果を、図２（ｃ）はオレンジ光を遮蔽する効果を示す。これらの図表には、共に、本考案に係わる偏光板を有する直貼付型構造のＵＶ遮蔽及びオレンジ光遮蔽の効果のいずれも、偏光板無しカラーフィルタの非直貼付型構造にと対比すると優れることを示している。
【００２０】
前記のように、本考案は、以下のような効果がある。
１．従来の技術と比べれば、本考案に係わる技術は、ＰＤＰのカラーフィルタ内に偏光板と１／２λ及び１／４λの位相差板を加入することで、ＰＤＰのカラー対比を向上し、映像をより鮮やかに、且つ立体化させる。
２．本考案に係わる前記偏光板及び位相差板を有するカラーフィルタ直貼付型構造は、ガラスを用いる従来の構造設計を替えることが出来、全体の厚みが減少され、重量を軽くし、更に光学透過率を向上できる。
３．本考案は材料コストを大幅に修正し並びに製造プロセスを向上させ、作業フローを削減でき、歩留まり及び生産能力を共に向上できる。
【００２１】
本考案は、前記好ましい実施例により述べられるが、本実施例は説明的なものだけであって、本考案の実施する範囲を局限するものではなく、様々な変形及び修正が前記教示によって可能であるが、請求の範囲に規定される本考案の精神及び範囲に外れることはない、例えば、本考案は、ＰＤＰの実施を陳述対象としているが、本考案の態様がＬＣＤにも同様に応用できることは、当業者にとっては容易に理解できるはずである。
【図面の簡単な説明】
【００２２】
【図１】本考案に係わる好ましい実施例の偏光板を有するプラズマディスプレイパネル直貼付型構造を示す説明図である。
【図２】図２（ａ）〜図２（ｃ）は、偏光板を有する直貼付型カラーフィルタを有するプラズマディスプレイパネル構造と偏光板無しカラーフィルタを有するプラズマディスプレイパネル構造の特性比較を説明する図形及び比較表である。
【符号の説明】
【００２３】
１  平面ディスプレイパネル（プラズマディスプレイパネル）ユニット
２  カラーフィルタユニット
３  偏光板
４  位相差板（１／２λ及び１／４λ波長板）
５  電磁波遮蔽層（ＥＭＩ層）
６  混合色補正層及び近赤外線吸収或いは透過層（Ｎｅｏｎ−ｃｕｔ／ＮＩＲ層）
【図１】
0003121240.tif 000003
【図２】
0003121240.tif 000004